Podtech/llm-jp-corpus-v4-ja_patent huggingface dataset:
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
光源から出射された光をライトバルブにて光変調し、この光変調により得られた映像光を投写する投写型映像表示装置において、装置内を空冷する空冷手段と、外気取り入れ口に設けられたフィルタと、前記外気取り入れ口から取り入れられる空気の風量を検出する風量センサと、気圧を検出する気圧センサと、風量値と気圧値とによって定まる制御内容が規定されたテーブルと、前記風量センサからの風量データ及び前記気圧センサからの気圧データに基づいて前記テーブルから制御内容を取得して前記空冷手段の冷却能力を制御する制御手段とを備えたことを特徴とする投写型映像表示装置。
【請求項２】
請求項１に記載の投写型映像表示装置において、外気温度を検出する温度センサと、温度によって前記空冷手段の制御内容が規定されたテーブルとを備え、前記制御手段は、前記温度センサからの温度データに基づいて前記テーブルから制御内容を取得するとともに、この取得した制御内容に前記風量データ及び気圧データによる制御内容を加味した制御内容によって前記空冷手段を制御することを特徴とする投写型映像表示装置。
【請求項３】
請求項１または請求項２に記載の投写型映像表示装置において、前記テーブルは通常用のテーブルとエコノミー用のテーブルを備えていることを特徴とする投写型映像表示装置。
【請求項４】
請求項１乃至請求項３の何れかに記載の投写型映像表示装置において、前記テーブルは少なくとも第１電力による光源駆動時のテーブルと第２電力による光源駆動時のテーブルとを備えていることを特徴とする投写型映像表示装置。
【請求項５】
請求項１乃至請求項４の何れかに記載の投写型映像表示装置において、前記光源として複数の光源を備え、前記テーブルは少なくとも全部の光源が点灯しているときのテーブルと一部の光源が点灯しているときのテーブルとを備えていることを特徴とする投写型映像表示装置。
【手続補正２】
【補正対象書類名】明細書
【補正対象項目名】０００５
【補正方法】変更
【補正の内容】
【０００５】
この発明の投写型映像表示装置は、上記課題を解決するために、光源から出射された光をライトバルブにて光変調し、この光変調により得られた映像光を投写する投写型映像表示装置において、装置内を空冷する空冷手段と、外気取り入れ口に設けられたフィルタと、前記外気取り入れ口から取り入れられる空気の風量を検出する風量センサと、気圧を検出する気圧センサと、風量値と気圧値とによって定まる制御内容が規定されたテーブルと、前記風量センサからの風量データ及び前記気圧センサからの気圧データに基づいて前記テーブルから制御内容を取得して前記空冷手段の冷却能力を制御する制御手段とを備えたことを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
上記構成においては、前記フィルタの目詰まり具合（程度）は、風量センサからの風量データに現れる。前記制御手段は、前記風量データ及び気圧データに基づいた制御内容で前記空冷手段の冷却能力を制御するので、フィルタの目詰まりが生じた場合でも、極力最適な冷却制御が行える。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
上記構成の投写型映像表示装置において、外気温度を検出する温度センサと、温度によって前記空冷手段の制御内容が規定されたテーブルとを備え、前記制御手段は、前記温度センサからの温度データに基づいて前記テーブルから制御内容を取得するとともに、この取得した制御内容に前記風量データ及び気圧データによる制御内容を加味した制御内容によって前記空冷手段を制御してもよい。
【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】  図柄始動入賞口へ遊技球が入賞することにより複数の表示図柄が変動を開始して所定時間後に停止する図柄表示装置と、
この図柄表示装置で変動表示中の図柄が第１図柄パターンで停止することにより大入賞口を開放する大入賞口装置と、
入賞口、及び前記図柄表示装置で変動表示中の図柄が第２図柄パターンで停止することにより開放して前記入賞口を拡大させる可動片を有する特別電動役物とを備え、
前記第２図柄パターンを複数種有し、そのパターン種毎に前記可動片の開放量が異なることを特徴とするパチンコ機。
【請求項２】  特別電動役物は、前記入賞口からの入賞球が適宜の難易度にて通過可能で、該入賞球の通過により前記可動片を再度開放させて前記入賞口を拡大させるＶゾーンを備え、
前記複数種の第２図柄パターンのうち、いずれかのパターンは更に複数種に分けられ、そのパターン種に応じてＶゾーン通過の難易度が変わるように、前記特別電動役物にＶゾーン振分け構造部を備えることを特徴とする請求項１に記載のパチンコ機。
【請求項３】  図柄始動入賞口へ遊技球が入賞することにより複数の表示図柄が変動を開始して所定時間後に停止する図柄表示装置と、
この図柄表示装置で変動表示中の図柄が第１図柄パターンで停止することにより大入賞口を開放する大入賞口装置と、
入賞口、及び前記図柄表示装置で変動表示中の図柄が第２図柄パターンで停止することにより開放して前記入賞口を拡大させる可動片を有する特別電動役物と、
前記変動表示中の図柄が第１図柄パターン又は第２図柄パターンのいずれで停止するかの予告表示をする停止図柄パターン予告表示手段とを具備することを特徴とするパチンコ機。
【手続補正２】
【補正対象書類名】明細書
【補正対象項目名】０００１
【補正方法】変更
【補正の内容】
【０００１】
【発明の属する技術分野】
本発明は、図柄表示装置と特別電動役物とを備えたパチンコ機に関するものである。
【手続補正３】
【補正対象書類名】明細書
【補正対象項目名】０００５
【補正方法】変更
【補正の内容】
【０００５】
本発明は、上記従来技術の問題点を解消するためになされたもので、図柄表示装置と特別電動役物とを備えた構成において、長時間遊技をしても飽きのこないパチンコ機を提供することを目的とする。
【手続補正４】
【補正対象書類名】明細書
【補正対象項目名】０００６
【補正方法】変更
【補正の内容】
【０００６】
【課題を解決するための手段】
上記目的を達成するために、請求項１に記載の発明は、図柄始動入賞口へ遊技球が入賞することにより複数の表示図柄が変動を開始して所定時間後に停止する図柄表示装置と、この図柄表示装置で変動表示中の図柄が第１図柄パターンで停止することにより大入賞口を開放する大入賞口装置と、入賞口、及び前記図柄表示装置で変動表示中の図柄が第２図柄パターンで停止することにより開放して前記入賞口を拡大させる可動片を有する特別電動役物とを備え、前記第２図柄パターンを複数種有し、そのパターン種毎に前記可動片の開放量が異なることを特徴とする。
【手続補正５】
【補正対象書類名】明細書
【補正対象項目名】０００７
【補正方法】変更
【補正の内容】
【０００７】
請求項２に記載の発明は、請求項１に記載の発明において、特別電動役物は、前記入賞口からの入賞球が適宜の難易度にて通過可能で、該入賞球の通過により前記可動片を再度開放させて前記入賞口を拡大させるＶゾーンを備え、前記複数種の第２図柄パターンのうち、いずれかのパターンは更に複数種に分けられ、そのパターン種に応じてＶゾーン通過の難易度が変わるように、前記特別電動役物にＶゾーン振分け構造部を備えることを特徴とする。
【手続補正６】
【補正対象書類名】明細書
【補正対象項目名】０００８
【補正方法】変更
【補正の内容】
【０００８】
請求項３に記載の発明は、図柄始動入賞口へ遊技球が入賞することにより複数の表示図柄が変動を開始して所定時間後に停止する図柄表示装置と、この図柄表示装置で変動表示中の図柄が第１図柄パターンで停止することにより大入賞口を開放する大入賞口装置と、入賞口、及び前記図柄表示装置で変動表示中の図柄が第２図柄パターンで停止することにより開放して前記入賞口を拡大させる可動片を有する特別電動役物と、前記変動表示中の図柄が第１図柄パターン又は第２図柄パターンのいずれで停止するかの予告表示をする停止図柄パターン予告表示手段とを具備することを特徴とする。
【手続補正７】
【補正対象書類名】明細書
【補正対象項目名】００３９
【補正方法】変更
【補正の内容】
【００３９】
【発明の効果】
以上述べた請求項１及び２の発明では、図柄表示装置で変動表示中の図柄が、第１図柄パターンで停止すれば大入賞口を開放し、第２図柄パターンで停止すれば特別電動役物の入賞口を拡大させる。また上記第２図柄パターンは複数種に分けられ、パターン種毎に入賞口の拡大させる量を異ならせた。
すなわち請求項１及び２の発明によれば、図柄表示装置の停止図柄に基づく遊技展開が多岐に亘って遊技内容が豊富になり、したがって、従来技術とは異なり、長時間遊技をしても遊技者を飽きさせることがないという効果を有する。特に、請求項２の発明によれば、入賞口からの入賞球が適宜の難易度にて通過可能で、該入賞球の通過により入賞口を再度拡大させるＶゾーンを上記特別電動役物が備える。また、上記複数種の第２図柄パターンのうち、いずれかのパターンを更に複数種に分け、そのパターン種に応じてＶゾーン通過の難易度が変わるようにしたので、上記効果は一層顕著になる。
【手続補正８】
【補正対象書類名】明細書
【補正対象項目名】００４０
【補正方法】変更
【補正の内容】
【００４０】
また、請求項３の発明では、図柄表示装置で変動表示中の図柄が、第１図柄パターンで停止すれば大入賞口を開放し、第２図柄パターンで停止すれば特別電動役物の入賞口を拡大させる。そして、変動表示中の図柄が第１図柄パターン又は第２図柄パターンのいずれで停止するかを予告表示するように構成した。すなわち請求項３の発明によれば、図柄表示装置の停止図柄に基づく遊技展開が複数種に亘って遊技内容が豊富になり、したがって、従来技術とは異なり、長時間遊技をしても遊技者を飽きさせることがない。その上、予告の内容により、遊技者の期待感をより高めることができる。特に初心者にとっては、この予告表示により、遊技球の発射操作に余裕をもたせ得るという効果もある。
【手続補正書】
【提出日】平成19年8月27日(2007.8.27)
【手続補正１】
【補正対象書類名】明細書
【補正対象項目名】発明の名称
【補正方法】変更
【補正の内容】
【発明の名称】内視鏡
【手続補正２】
【補正対象書類名】明細書
【補正対象項目名】特許請求の範囲
【補正方法】変更
【補正の内容】
【特許請求の範囲】
【請求項１】
挿入部の挿入位置検出に用いられる内視鏡挿入形状検出プローブの一端を前記挿入部先端側に接続して内蔵した内視鏡において、
前記内視鏡挿入形状検出プローブの先端部を前記挿入部の先端部に回動可能に接続したことを特徴とする内視鏡。
【手続補正３】
【補正対象書類名】明細書
【補正対象項目名】０００１
【補正方法】変更
【補正の内容】
【０００１】
【発明の属する技術分野】
本発明は、内視鏡挿入部の挿入形状を検出する内視鏡に関する。
【手続補正４】
【補正対象書類名】明細書
【補正対象項目名】０００４
【補正方法】変更
【補正の内容】
【０００４】
挿入部が軟性の軟性内視鏡は、現在の内視鏡挿入部の屈曲状態を知ることができると便利である。
このような目的のために、上記従来の軟性内視鏡は、挿入方向に複数の磁界発生用又は磁界検出用のコイル装置を所定間隔で配置した内視鏡挿入形状検出プローブを挿入部内に内蔵している。上記従来の軟性内視鏡は、上記内視鏡挿入形状検出プローブの一端を前記挿入部先端側に接続して構成している。
【手続補正５】
【補正対象書類名】明細書
【補正対象項目名】０００５
【補正方法】変更
【補正の内容】
【０００５】
【発明が解決しようとする課題】
上記従来の軟性内視鏡は、挿入部の湾曲部を上下左右方向へ湾曲させることに対して、長手軸方向への移動量が最小となる位置に上記内視鏡挿入形状検出プローブを配して構成していると、例えば、上記湾曲部がＵＰ→ＲＩＧＨＴ→ＤＯＷＮ→ＬＥＦＴ→ＵＰのように連続的な動作による３６０°旋回をする場合に、上記内視鏡挿入形状検出プローブが上記湾曲部内で長手軸方向に沿って捩られる。この場合、上記従来の軟性内視鏡は、上記内視鏡挿入形状検出プローブの被覆チューブや、上記内視鏡挿入形状検出プローブの各コイル装置に接続されている信号線が破損してしまう虞れが生じる。
これに対して、他の従来の軟性内視鏡は、上記内視鏡挿入形状検出プローブを長手軸方向に移動できるように上記内視鏡挿入形状検出プローブの先端部を上記挿入部先端側に形成した取り付け穴に挿入して上記内視鏡挿入形状検出プローブを内蔵したものがある。
しかしながら、上記他の従来の軟性内視鏡は、上記内視鏡挿入形状検出プローブを挿入部先端側に組付ける際に、上記取り付け穴から上記内視鏡挿入形状検出プローブの先端部が抜け落ちてしまい、作業が煩雑である。
一方、これに対して、その他の従来の軟性内視鏡は、上記内視鏡挿入形状検出プローブの先端部と上記挿入部先端側の取り付け穴との内底部間にコイルばねを配して構成したものがある。しかしながら、上記その他の従来の軟性内視鏡は、組立てが煩雑となってしまうという問題もある。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明はこれらの事情に鑑みてなされたものであり、湾曲部が３６０°旋回動作を行っても、内蔵される内視鏡挿入形状検出プローブが長手軸方向に捩れることがなく、耐久性、組立性に優れた内視鏡を提供することを目的とする。
【手続補正８】
【補正対象書類名】明細書
【補正対象項目名】０００８
【補正方法】変更
【補正の内容】
【０００８】
【課題を解決するための手段】
上記目的を達成するため、本発明は、挿入部の挿入位置検出に用いられる内視鏡挿入形状検出プローブの一端を前記挿入部先端側に接続して内蔵した内視鏡において、前記内視鏡挿入形状検出プローブの先端部を前記挿入部の先端部に回動可能に接続したことを特徴としている。
この構成により、湾曲部が３６０°旋回動作を行っても、内臓される内視鏡挿入形状検出プローブが長手軸方向に捩れることがなく、耐久性、組立性に優れた内視鏡を実現できる。
【手続補正９】
【補正対象書類名】明細書
【補正対象項目名】０１２５
【補正方法】変更
【補正の内容】
【０１２５】
【発明の効果】
以上説明したように本発明によれば、湾曲部３６０°旋回動作を行っても、内臓される内視鏡挿入形状検出プローブが長手軸方向に捩れることがなく、耐久性、組立性に優れた内視鏡を実現できる。
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
ファン（１４ａ）を一端側に備えてその冷却風を受けるエンジン（６）と、このエンジン（６）の端側から動力を受ける無段変速装置（１１）と、この無段変速装置（１１）の動力軸（１２）に取付けた冷却用のファン（１３）とを備えて変速走行する走行車両において、
上記エンジン（６）と無段変速装置（１１）は、それぞれの動力軸線を互いに並行に配置し、これら両者の間には、並行する動力軸間に伝動機構（１６）を介設するとともに、双方の冷却風をそれぞれの側で案内可能な仕切部材（１７）を設けたことを特徴とする走行車両。
【手続補正２】
【補正対象書類名】明細書
【補正対象項目名】０００５
【補正方法】変更
【補正の内容】
【０００５】
請求項１に係る発明は、ファンを一端側に備えてその冷却風を受けるエンジンと、このエンジンの端側から動力を受ける無段変速装置と、この無段変速装置の動力軸に取付けた冷却用のファンとを備えて変速走行する走行車両において、上記エンジンと無段変速装置は、それぞれの動力軸線を互いに並行に配置し、これら両者の間には、並行する動力軸間に伝動機構を介設するとともに、双方の冷却風をそれぞれの側で案内可能な仕切部材を設けたことを特徴とする。
【手続補正３】
【補正対象書類名】明細書
【補正対象項目名】０００６
【補正方法】変更
【補正の内容】
【０００６】
上記構成の発明は以下の効果を奏する。
エンジンの起動により、その一端側からファンにより冷却風が送られ、同エンジンの端側から無段変速装置へ伝動機構により伝動されるとともに、同無段変速装置は、その動力軸のファンによって冷却風を受け、これら並行配置されたエンジンと無段変速装置の両冷却風が、それぞれ仕切部材によって送られる。したがって、両冷却風は仕切部材を境にして相互間の衝突が抑えられ、滞留を招くことなく安定した空気流が形成されるので、それぞれの冷却効率を確保することができる。
【手続補正書】
【提出日】平成19年8月1日(2007.8.1)
【手続補正１】
【補正対象書類名】明細書
【補正対象項目名】００２２
【補正方法】変更
【補正の内容】
【００２２】
次に、本発明の塗装補修用転写部材４は、図３に示すように、剥離性を有する基材１１上に、色材層１、粘着層２、およびセパレーター２２をこの順に有するものである。本発明の塗装補修用転写部材４をこのような構成とすることにより、予め剥離性を有する基材１１上に色材層１、粘着層２、セパレーター２２がこの順に積層されているため、使用者は色材層１を形成する必要がなく、また色材層１と粘着層２を貼合する必要がないため、傷部分を極めて容易に補修することができる。
【手続補正２】
【補正対象書類名】明細書
【補正対象項目名】００５６
【補正方法】変更
【補正の内容】
【００５６】
以上のように、本発明の塗装補修用部材によれば、剥離性を有する基材上に後から色材層を形成することができるため、使用者が前記剥離性を有する基材に所望の補修塗料を塗布することができる。また、当該塗装補修用部材を用いた本発明の塗装補修方法によれば、塗装面に形成された傷部分に貼付することにより、傷部分を雨による錆つき、紫外線による劣化等から保護し、容易にかつ美しい仕上がりに補修することができる。
【手続補正３】
【補正対象書類名】明細書
【補正対象項目名】００７１
【補正方法】変更
【補正の内容】
【００７１】
以上のように、図７〜図１０に示す本発明の塗装補修用部材、および塗装補修方法によれば、塗装補修後は、図８の（Ｅ）のような仕上がりとなるため、補修部分は目立たなくなりより一層美しい仕上がりとすることができる。
【手続補正書】
【提出日】平成18年12月5日(2006.12.5)
【手続補正１】
【補正対象書類名】特許請求の範囲
【補正対象項目名】請求項１
【補正方法】変更
【補正の内容】
【請求項１】
被印刷体(２)をノズル群(１５)によって案内する装置において、
前記ノズル群(１５)の舌状部(１１.１、１２.１)が実質的に櫛状の少なくとも１つの輪郭(１１、１２)によって境界が形成されていることを特徴とする、被印刷体をノズル群によって案内する装置。
【手続補正２】
【補正対象書類名】特許請求の範囲
【補正対象項目名】請求項１５
【補正方法】変更
【補正の内容】
【請求項１５】
ノズル群(１５)を有する被印刷体案内装置(５、６)、特に請求項１から１４のいずれか１項にしたがって構成された装置を製造する方法において、
少なくとも１つの半完成品(７.１)に櫛輪郭（１１）を備えることによって、前記ノズル群(１５)の舌状部(１１.１、１２.１)を形成することを特徴とする方法。
【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
エレベータ通路（１１）を備えたエレベータ設備の制御機構を有する通路ドアのドア・フレーム（１４）であって、
制御ユニット（１８）がドア・フレーム（１４）のチャンバ（１６）内に配置され、
制御ユニット（１８）がチャンバ（１６）内に固定して取り付けられ、
チャンバ（１６）が階（９）で開いている、カバー（１７）を備える外側開口を有し、このカバーは外側開口を閉鎖している作動位置から、チャンバ（１６）に自由にアクセスできるサービス位置に移動でき、
チャンバ（１６）は、エレベータ通路（１１）の内部に面する内側開口（１６．２１）を有し、この内側開口を通してチャンバ（１６）に自由にアクセスできることを特徴とする、ドア・フレーム。
【請求項２】
サービス位置にあるカバー（１７）は、開くか、またはドア・フレーム部材（１４.１）から取り外しされることを特徴とする、請求項１に記載のドア・フレーム（１４）。
【請求項３】
チャンバ（１６）の外側開口はドア・フレーム（１４）の垂直ドア・フレーム部材（１４．１）に配置され、および／または外側開口は、ドア・フレーム部材（１４．１）の壁面（１６．３）に配置され、該壁面は、エレベータ通路ドアの、ドア・リーフ（１２．１、１２．２）を横切る方向に配置されていることを特徴とする、請求項１または２に記載のドア・フレーム（１４）。
【請求項４】
作動位置におけるカバー（１７）はドア・フレーム部材（１４．１）の壁面（１６．３）内に一体化され、好ましくは面一であることを特徴とする、請求項１から３のいずれか一項に記載のドア・フレーム（１４）。
【請求項５】
カバー（１７）は取り外し状態において、安全防壁として利用できることを特徴とする、請求項１から４のいずれか一項に記載のドア・フレーム（１４）。
【請求項６】
階のパネル（２０）が、外側開口を有するドア・フレーム部材（１４．１）の壁面（１６．３）を横切る方向に向く壁面（１６．１）に設けられていることを特徴とする、請求項１から５のいずれか一項に記載のドア・フレーム（１４）。
【請求項７】
内側開口（１６．２１）が外側開口より大きいことを特徴とする、請求項６に記載のドア・フレーム（１４）。
【請求項８】
チャンバ（１６）の内側開口（１６．２１）はカバー（１９）を有し、このカバーは内側開口を閉鎖している作動位置から、チャンバ（１６）に自由にアクセスできるメンテナンス位置に移動でき、内側開口（１６．２１）のカバー（１９）は少なくとも一部を覆い、難燃性または耐火性材料であることを特徴とする、請求項１から７のいずれか一項に記載のドア・フレーム（１４）。
【請求項９】
エレベータ設備の制御ユニット（１８）にアクセスする方法であって、この制御ユニット（１８）はドア・フレーム部材（１４．１）内のチャンバ（１６）内部に配置され、
このチャンバは、階（９）で開き、壁面（１６．３）に設けられ、かつカバー（１７）で閉鎖できる外側開口を有し、
外側開口は、ドア・フレーム部材（１４．１）の、通路ドアのドア・リーフ（１２．１、１２．２）を横切る方向に配置された壁面（１６．３）に配置され、チャンバ（１６）はエレベータ通路（１１）の内部に面する内側開口（１６．２１）を有し、
制御ユニットにアクセスするために、カバー（１７）を作動位置からサービス位置に移動することを特徴とする、制御ユニット（１８）にアクセスする方法。
【請求項１０】
制御ユニットにアクセスするために、
エレベータ・ケージをその階（９）またはその階（９）と直ぐ下の階の間に移動して、エレベータ・ケージの屋根部または作業表面を作業に適正な高さに置くようにし、
エレベータ設備への電力供給を遮断するか、またはエレベータ設備をサービス状態に移行し、
ドア・リーフ（１２．１、１２．２）を開き、
エレベータ・ケージの屋根部または作業表面上でのメンテナンス作業を可能にして、内側開口（１６．２１）を利用してチャンバ（１６）内の制御ユニット（１８）にアクセスすることを特徴とする、請求項９に記載の制御ユニット（１８）にアクセスする方法。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
β−アミロイドまたはその誘導体のＣ端側の部分ペプチドに特異的に反応し、かつ配列番号：８で表されるアミノ酸配列を有する部分ペプチドを認識しないモノクローナル抗体を含有してなるアルツハイマー病、軽度認知障害または脳アミロイドアンギオパチーの予防・治療剤。
【請求項２】
アルツハイマー病の予防・治療剤である請求項１記載の剤。
【請求項３】
抗体が配列番号：９で表されるアミノ酸配列を有する部分ペプチドを認識しない抗体である請求項１記載の剤。
【請求項４】
抗体が配列番号：９で表されるアミノ酸配列を有する部分ペプチドを認識する抗体である請求項１記載の剤。
【請求項５】
β−アミロイドが配列番号：１、配列番号：２、配列番号：３、配列番号：４、配列番号：５または配列番号：６で表されるアミノ酸配列を有するペプチドである請求項１記載の剤。
【請求項６】
β−アミロイドが配列番号：５で表されるアミノ酸配列を有するペプチドである請求項１記載の剤。
【請求項７】
β−アミロイドの誘導体が、配列番号：５で表されるアミノ酸配列の２番目〜４２番目のアミノ酸配列を有するペプチド、配列番号：５で表されるアミノ酸配列の３番目〜４２番目のアミノ酸配列を有するペプチドであってＮ端のグルタミン酸がピログルタミン酸に変換したペプチド、または配列番号：５で表されるアミノ酸配列の４番目〜４２番目のアミノ酸配列を有するペプチドである請求項１記載の剤。
【請求項８】
β−アミロイドの誘導体が、配列番号：１ないし配列番号：６で表される各々のアミノ酸配列から１番目〜１０番目のアミノ酸配列が欠如したアミノ酸配列を有するペプチドであってＮ端のグルタミン酸がピログルタミン酸に変換したペプチドである請求項１記載の剤。
【請求項９】
β−アミロイドまたはその誘導体のＣ端側の部分ペプチドが、各β−アミロイドのＮ端のアミノ酸から数えて２５番目以降のアミノ酸配列を有する部分ペプチドである請求項１記載の剤。
【請求項１０】
抗体が配列番号：７で表されるアミノ酸配列を有する部分ペプチドを認識しない抗体である請求項１記載の剤。
【請求項１１】
抗体が配列番号：５で表されるアミノ酸配列を有するβ−アミロイド（１−４２）を認識する抗体である請求項１記載の剤。
【請求項１２】
抗体が、ＢＡ−２７（ＦＥＲＭ  ＢＰ−４１３９）で標示されるハイブリドーマ細胞から産生されうるモノクローナル抗体ＢＡ−２７ａである請求項１記載の剤。
【請求項１３】
抗体が、ＢＣ−０５（ＦＥＲＭ  ＢＰ−４４５７）で標示されるハイブリドーマ細胞から産生されうるモノクローナル抗体ＢＣ−０５ａである請求項１記載の剤。
【請求項１４】
抗体が、脳血液関門を透過する抗体である請求項１記載の剤。
【請求項１５】
抗体が、形成された老人斑からβ−アミロイドを引き抜きうる抗体である請求項１４記載の剤。
【請求項１６】
β−アミロイドの脳内での凝集または沈着の抑制剤である請求項１記載の剤。
【請求項１７】
配列番号：５で表されるアミノ酸配列を有するペプチドの血中濃度を特異的に上昇させうる請求項１記載の剤。
【請求項１８】
抗体が、脳血液関門を透過しない抗体である請求項１記載の剤。
【請求項１９】
抗体が、末梢中のβ−アミロイドを末梢で捕捉しうる抗体である請求項１８記載の剤。
【請求項２０】
抗体が、配列番号：５で表されるアミノ酸配列を有するβ−アミロイド（１−４２）を認識するが、配列番号：１で表されるアミノ酸配列を有するβ−アミロイド（１−３８）、配列番号：２で表されるアミノ酸配列を有するβ−アミロイド（１−３９）および配列番号：３で表されるアミノ酸配列を有するβ−アミロイド（１−４０）を認識しない抗体である請求項１記載の剤。
【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
タイムベースメディアを印刷するプリンタであって、
外部ソースからタイムベースメディアを受信するためのインタフェースと、
前記インタフェースに接続され、前記タイムベースメディアの印刷表示と電子表示を決定するメディア処理システムと、
前記メディア処理システムと通信して前記印刷表示を受信し、該受信した印刷表示から対応する印刷出力を生成する印刷出力システムと、
前記メディア処理システムと通信して前記電子表示を受信し、該受信した電子表示から対応する電子出力を生成する電子出力システムとからなることを特徴とするプリンタ。
【手続補正書】
【提出日】平成19年5月20日(2007.5.20)
【手続補正１】
【補正対象書類名】明細書
【補正対象項目名】特許請求の範囲
【補正方法】変更
【補正の内容】
【特許請求の範囲】
【請求項１】プラグラム言語によって作成されたソフトウエアとしてインターネットに接続されたサーバ２００に格納されて、前記インターネットに接続する情報端末１００からのＷｅｂ閲覧用プログラム１０を用いた閲覧を可能とするホームページ２０であって、
ツリー状の階層構造２０Ａを利用して二つ以上のページＰ１〜Ｐ４を関連付けて前記ホームページ２０を構成し、
前記二つ以上のページＰ１〜Ｐ４からなる前記ツリー状の階層構造２０Ａをさらに二つ以上のグループＧ１〜Ｇ４に段階的に分類し、
前記グループＧ１〜Ｇ４ごとに前記ページＰ１〜Ｐ４のレイアウトを変え、
前記情報端末１００からの前記ホームページ２０へのアクセスを、前記グループＧ１〜Ｇ４ごとにアクセス制限可能にするとともに、
前記情報端末１００の表示手段１０３の画面上に前記ホームページ２０を開示する際、前記グループＧ１〜Ｇ４ごとの閲覧状態を示す表示部３０を前記情報端末１００の前記画面上に表示することを特徴とするホームページ２０。
【請求項２】  前記グループＧ１〜Ｇ４ごとに、前記ページＰ１〜Ｐ４の背景、バナー、タブバーの少なくともいずれかを異なるように設定することを特徴とする請求項１に記載のホームページ２０。
【請求項３】前記インターネットに接続した前記情報端末１００が前記サーバ２００に置かれた前記ホームページ２０にアクセスするとき、ゲートウェイプログラム２１０を用いて、前記情報端末１００からの前記ホームページ２０へのアクセスを、前記グループＧ１〜Ｇ４ごとに段階的に分類することを特徴とする請求項１に記載ホームページ２０。
【請求項４】前記情報端末１００からの前記Ｗｅｂ閲覧用プログラム１０を用いた閲覧の際に、前記ツリー状の階層構造２０Ａに従ったページの開示手段として下方のブランチに進む操作７０Ａと上方のブランチに進む操作７０Ｂとともに、前記段階的に分類されるグループＧ１〜Ｇ４に従った開示手段として下方のグループに進む操作手段６０Ａと上方のグループに進む操作手段６０Ｂを適用可能にしたことを特徴とする請求項１に記載ホームページ２０。
【請求項５】  前記情報端末１００から前記ホームページ２０にアクセスしたものが異なる前記グループＧ１〜Ｇ４間を移動する際、前記情報端末１００に特殊効果を生じさせることを特徴とする請求項１に記載のホームページ２０。
【請求項６】  前記情報端末１００の前記画面上に、表示するページ及び／または表示するページの内容物ごとに該当するグループＧ１〜Ｇ４名を示すことを特徴とする請求項１に記載のホームページ２０。
【請求項７】  前記グループＧ１〜Ｇ４ごとにクッキーを用いてユーザの識別を行うことを特徴とする請求項１に記載のホームページ２０。
【請求項８】前記インターネットに接続した前記情報端末１００が前記サーバ２００に置かれた前記ホームページ２０にアクセスするとき、ゲートウェイプログラム２１０を用いて、前記グループＧ１〜Ｇ４ごとに閲覧者の数を数えることを特徴とする請求項１に記載のホームページ２０。
【手続補正２】
【補正対象書類名】明細書
【補正対象項目名】００１１
【補正方法】変更
【補正の内容】
【００１１】
【課題を解決するための手段】
上記目的を達成するために、請求項１に記載の発明は、プラグラム言語によって作成されたソフトウエアとしてインターネットに接続されたサーバ２００に格納されて、前記インターネットに接続する情報端末１００からのＷｅｂ閲覧用プログラム１０を用いた閲覧を可能とするホームページ２０であって、
ツリー状の階層構造２０Ａを利用して二つ以上のページＰ１〜Ｐ４を関連付けて前記ホームページ２０を構成し、
前記二つ以上のページＰ１〜Ｐ４からなる前記ツリー状の階層構造２０Ａをさらに二つ以上のグループＧ１〜Ｇ４に段階的に分類し、
前記グループＧ１〜Ｇ４ごとに前記ページＰ１〜Ｐ４のレイアウトを変え、
前記情報端末１００からの前記ホームページ２０へのアクセスを、前記グループＧ１〜Ｇ４ごとにアクセス制限可能にするとともに、
前記情報端末１００の表示手段１０３の画面上に前記ホームページ２０を開示する際、前記グループＧ１〜Ｇ４ごとの閲覧状態を示す表示部３０を前記情報端末１００の前記画面上に表示することを特徴とする。
【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
光源と、前記光源からの光束を複数の部分光束に分割し、前記複数の部分光束によって複数の光源像を形成する光束分割素子と、前記複数の部分光束を重畳する集光レンズと、を有する照明装置と、
前記照明装置から射出された照明光束を変調する反射型液晶装置と、
前記電気光学装置によって変調された光を投写する投写レンズと、
前記照明光束に含まれる所定の偏光成分の光を選択して前記反射型液晶装置に向けて射出するとともに、前記反射型液晶装置によって変調された光のうち所定の偏光成分の光を選択して前記投写レンズに向けて射出する偏光分離面と、
を備えたプロジェクタにおいて、
前記光束分割光学素子は、入射端面と、射出端面と、少なくとも４つの反射面とを備えた導光体であり、
前記照明光束の中心軸と前記偏光分離面の法線とによって規定される面を入射面とし、前記入射面と平行で前記照明光軸と直交する方向をＸ方向、前記入射面と直交する方向をＹ方向とし、
前記導光体の反射面のうち対向する少なくとも一対の前記反射面の間隔が、前記偏光分離面における前記照明光束のＹ方向の入射角が小さくなるように、前記入射端面から前記射出端面に向かうにしたがって広くなることを特徴とするプロジェクタ。
【請求項２】
請求項１において、
前記照明装置から射出された照明光束を複数の色光に分離する色分離光学系と、前記色分離光学系によって分離された色光をそれぞれ変調する複数の前記反射型液晶装置と、を備えたことを特徴とするプロジェクタ。
【請求項３】
請求項１または２において、
前記導光体の反射面のうち対向する少なくとも一対の前記反射面の間隔は、前記入射端面から前記射出端面に向かうにしたがって狭くなることを特徴とするプロジェクタ。
【請求項４】
請求項１乃至請求項３のいずれかにおいて、
前記導光体の前記射出端面の形状は、前記反射型液晶装置の表示領域の形状と略相似形をなすことを特徴とするプロジェクタ。
【請求項５】
光源と、前記光源からの光束を複数の部分光束に分割し、前記複数の部分光束によって複数の光源像を形成する光束分割素子と、前記複数の部分光束を重畳する集光レンズと、を有する照明装置と、
前記照明装置から射出された照明光束を変調する反射型液晶装置と、
前記反射型液晶装置によって変調された光を投写する投写レンズと、
前記照明光束に含まれる所定の偏光成分の光を選択して前記反射型液晶装置に向けて射出するとともに、前記反射型液晶装置によって変調された光のうち所定の偏光成分の光を選択して前記投写レンズに向けて射出する偏光分離面と、
を備えたプロジェクタにおいて、
前記光束分割光学素子は、複数の小レンズを備えたレンズアレイであり、
前記照明光束の中心軸と前記偏光分離面の法線とによって規定される面を入射面とし、
前記複数の小レンズのうち少なくとも一部を、前記偏光分離面における前記照明光束のＹ方向の入射角が小さくなるように、偏心レンズとすることを特徴とするプロジェクタ。
【請求項６】
請求項５において、
前記照明装置から射出された照明光束を複数の色光に分離する色分離光学系と、前記色分離光学系によって分離された色光をそれぞれ変調する複数の前記反射型液晶装置と、を備えたことを特徴とするプロジェクタ。
【請求項７】
請求項５または６において、
前記複数の小レンズの輪郭は、前記反射型液晶装置の表示領域の形状と略相似形をなすことを特徴とするプロジェクタ。
【請求項８】
請求項５乃至７のいずれかにおいて、
前記照明装置は、前記照明光束の径を縮小する縮小光学系を備えることを特徴とするプロジェクタ。
【請求項９】
請求項８において、
前記縮小光学系は、前記光源像の前記Ｙ方向の配置間隔を小さくすることを特徴とするプロジェクタ。
【請求項１０】
請求項９において、
前記縮小光学系は、さらに、前記光源像の前記Ｘ方向の配置間隔を小さくすることを特徴とするプロジェクタ。
【手続補正書】
【提出日】平成18年12月19日(2006.12.19)
【手続補正１】
【補正対象書類名】明細書
【補正対象項目名】０００２
【補正方法】変更
【補正の内容】
【０００２】
ガスタービン、ジェットエンジン、産業用モータ、機関車などの重工業用機器の性能は時の経過と共に低下し、最終的には故障を起こす。機器の性能が許容し難いレベルにまで低下し、機器のユーザがこのレベルの低下に気づいた場合、ユーザは機器サービスプロバイダに電話をかけ、ユーザと機器サービスプロバイダとの間のサービス契約に従って必要な保守又は修理を行なうよう依頼するであろう。また、サービスプロバイダは、機器のユーザからの電話がない場合でも、契約に従って機器の保守を定期的に実施するであろう。
【特許文献１】米国特許 ５８４４８０８A号明細書
【特許文献２】米国特許 ６５６４１０４Ｂ２号明細書
【特許文献３】米国特許 ６９３４８６２Ｂ２号明細書
【特許文献４】米国特許 ６７９５７９８Ｂ２号明細書
【特許文献５】米国特許出願公開第 ２００２／０１２５１８Ａ１号明細書
【特許文献６】米国特許出願公開第 ２００２／００１６８２９Ａ１号明細書
【特許文献７】欧州特許出願公開第 ００１４３２２７３Ａ２号明細書
【特許文献８】米国特許 ６５８０９１６Ｂ１号明細書
【特許文献９】米国特許 ６５６５５１０Ｂ１号明細書
【特許文献１０】米国特許 ６５４６５５３Ｂ１号明細書
【特許文献１１】米国特許 ６５０９８４１Ｂ１号明細書
【手続補正書】
【提出日】平成18年12月14日(2006.12.14)
【手続補正１】
【補正対象書類名】特許請求の範囲
【補正対象項目名】全文
【補正方法】変更
【補正の内容】
【特許請求の範囲】
【請求項１】
２つの入力信号の比である出力信号を提供するための回路であって、
除数入力信号と被除数入力信号を受信するための手段と、
前記被除数入力信号と前記除数入力信号の比に比例する位相変調指数を有する商信号を提供するための手段
を備える、回路。
【請求項２】
前記商信号を位相復調してベースバンド信号としての出力信号を提供するための位相復調手段をさらに備える、請求項１の回路。
【請求項３】
前記提供するための手段は、変調感度が制御可能であるように変更されたアームストロング位相変調器である、請求項２の回路。
【請求項４】
前記商信号は振幅変調を含むことができることからなる請求項２の回路であって、前記商信号から任意の前記振幅変調を除去するための手段をさらに備える、請求項２の回路。
【請求項５】
前記除去するための手段は、前記位相復調手段の前段に挿入されたリミッタである、請求項４の回路。
【請求項６】
前記提供するための手段が、直交入力を有するベクトル変調器を備える、請求項１の回路。
【請求項７】
前記提供するための手段がＩ／Ｑ変調器を備え、Ｑ入力で被除数入力信号を受信し、Ｉ入力で除数入力を受信し、ＬＯ入力で搬送波源入力を受信する、請求項１の回路。
【請求項８】
前記提供するための手段がＩ／Ｑ変調器を備え、Ｉ入力で被除数入力信号を受信し、Ｑ入力で除数入力を受信し、ＬＯ入力で搬送波源入力を受信する、請求項１の回路。
【請求項９】
前記位相復調手段が、前記商信号を１つの入力として受信し、及び、位相シフトされていない増幅された搬送信号をもう１つの入力として受信する、請求項２の回路。
【請求項１０】
前記位相復調手段が乗算器である、請求項９の回路。
【請求項１１】
前記乗算器の出力信号はローパスフィルタリング処理を施される、請求項１０の回路。
【手続補正書】
【提出日】平成18年12月13日(2006.12.13)
【手続補正１】
【補正対象書類名】明細書
【補正対象項目名】０００２
【補正方法】変更
【補正の内容】
【０００２】
病院では典型的には、病院内の様々な部門を管理するためにコンピュータ・システムを利用している。各々の患者についてのデータが様々なコンピュータ・システムによって収集されている。例えば、患者は生命兆候の監視のために入院することがある。患者についての情報（例えば、人口統計及び保険契約）は病院情報システム（ＨＩＳ）によって得て、患者記録に蓄積することができる。この情報は次いで特定の部門情報システム（ＤＩＳ）へ送られる。典型的には、ＤＩＳは一会社の製品であるのに対して、ＨＩＳは別の会社の製品である。その結果、両者の間でデータベースが異なっている。更に、それらはデータ中の異なるレベルのグラニュラリティ（granularity；塊）を捕捉／保持し且つ送っている。一旦患者情報をＤＩＳが受け取ると、患者についてパラメータ調査(parametric study)のためのスケジュールを定めることができる（パラメータ調査のパラメータは一群の生命兆候である）。次いで、パラメータ調査が臨床医によって行われる。撮像及び測定が行われて、それらの画像及び測定値はＤＩＳサーバーに送られる。読取りを行う医師（例えば、専門医）が点検ステーションに座って、患者のパラメータ調査を引き出す。そこで、専門医は画像及び測定値の点検して、パラメータ調査についての完全な医学的レポートを作成し始める。次いで、医学的レポートは、レポートの内容を記述する診療データ・コードを含む構造化レポート（ＳＲ）文書としてコード化することができる。専門医が医学的レポートを完了したとき、そのレポートはＤＩＳサーバーへ送られて、そこに記憶され且つ患者識別データにより患者と関連付けられる。診療データ・コードを含む完了した医学的レポートは、ネットワークを介してデータ・リポジトリ(repository)へ二進データ・ストリームとして送ることのできる種類のレポートの一例である。
【特許文献１】欧州特許出願公開第０９９８０８９Ａ２号
【手続補正書】
【提出日】平成19年7月17日(2007.7.17)
【手続補正１】
【補正対象書類名】明細書
【補正対象項目名】００１１
【補正方法】変更
【補正の内容】
【００１１】
その際、前記気流分離手段は、加熱ローラーによって誘起される随伴気流を効果的に分離でき、糸揺れを惹起するような乱流が発生しないような位置に走行する糸条に近接して設ける。また、前記開口部は、分離した随伴気流を前記ボックス外へ効果的に排出するために設けられている。
【手続補正２】
【補正対象書類名】明細書
【補正対象項目名】００２６
【補正方法】変更
【補正の内容】
【００２６】
ここで、Ｌ１が３ｃｍより、大きい場合、もしくはＬ２がＤ／２より大きい場合は、加熱ローラー３ａによって誘起された随伴気流を走行糸条Ｙから十分に分離することができず、糸揺れ抑制効果も十分に発現しない。また、θが４５°より大きくなると、気流分離手段２ａに跳ね返される随伴気流の寄与が大きくなり、糸揺れ抑制効果が十分に発現しないだけで無く、かえって糸揺れを大きくする場合がある。
【手続補正３】
【補正対象書類名】明細書
【補正対象項目名】００３５
【補正方法】変更
【補正の内容】
【００３５】
そして、該油剤付与装置８の下流に、設けられた本発明の加熱ローラー装置によって４０００ｍ／ｍｉｎの速度で８０℃の予熱処理設置された後、１３０℃、１．４倍の加熱延伸処理とがされる。すなわち、このような処理をするために、加熱ローラーとセパレートローラー５とからなる予熱引取りローラー対３ｃ及び５が設けられ、これらローラーに続いて、糸条Ｙを加熱延伸する加熱ローラー対３ａ及び３ｂ（ネルソンローラー）が設けられている。
【手続補正４】
【補正対象書類名】明細書
【補正対象項目名】００３６
【補正方法】変更
【補正の内容】
【００３６】
なお、予熱引取りローラー対３ｃ及び５と加熱ローラー対３ａ及び３ｂは、ボックス１ａと１ｂとによってその周囲が囲まれている。更に、該ボックス１ａと１ｂとに対応して、気流分離手段２ａ及び２ｂと気流分離手段３ｃとがそれぞれ設けられている。
【手続補正５】
【補正対象書類名】図面
【補正対象項目名】図１
【補正方法】変更
【補正の内容】
【図１】
2002371429.tif 000001
【手続補正書】
【提出日】平成19年3月13日(2007.3.13)
【手続補正１】
【補正対象書類名】明細書
【補正対象項目名】発明の名称
【補正方法】変更
【補正の内容】
【発明の名称】紫外線吸収剤、光安定化剤、及びこれを配合した紫外線吸収性組成物、光安定化組成物、皮膚外用剤
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
入力された波長多重光信号を波長ごとに分離し、分離された光信号の一部もしくはすべてを、波長ごとにアッド・ドロップした後に、再びこれらの光信号を合波して出力する機能を有する光波長挿入分岐装置であって、
前記波長多重光信号を伝送する波長多重回線に対して所望の波長を有する少なくとも１つの光信号をアッドする、又は前記波長多重回線から所望の波長を有する少なくとも１つの光信号をドロップする機能を有する光スイッチを有し、
前記光スイッチは、前記光信号をアッド状態または非アッド状態のいずれかに切り替え可能なアッドスイッチと、前記光信号をドロップ状態または非ドロップ状態のいずれかに切り替え可能なドロップスイッチとを具備してなり、
前記アッドスイッチおよび前記ドロップスイッチは、それぞれ前記光波長挿入分岐装置の出力側および入力側に設けられ、
さらに、前記波長多重回線上で発生する光信号の障害を検出する障害検出部、もしくは外部から障害情報を受信する障害情報受信部、および、前記アッドスイッチおよび前記ドロップスイッチの状態を切り替える光スイッチ制御回路を備え、
前記障害検出部もしくは前記障害情報受信部からの障害発生情報を前記光スイッチ制御回路に入力し、前記障害発生情報の検出もしくは受信した際にその情報に基づき、前記アッドスイッチもしくは前記ドロップスイッチのいずれか一方、または前記アッドスイッチ及び前記ドロップスイッチの双方を切り替える手段を有することを特徴とする光波長挿入分岐装置。
【請求項２】
現用および予備波長多重回線に接続された請求項１記載の光波長挿入分岐装置が前記波長多重回線上の最下流に配置されている場合に、
前記光波長挿入分岐装置が前記現用波長多重回線に接続されている時に、通常動作時においては、前記ドロップスイッチをドロップ状態に設定し、一方、前記波長多重回線上の障害発生時においては、前記ドロップスイッチを非ドロップ状態に切り替えるように設定可能であり、
また、前記光波長挿入分岐装置が前記予備波長多重回線に接続されている時には、通常動作時においては、前記ドロップスイッチを非ドロップ状態に設定し、前記波長多重回線上の障害発生時においては、前記ドロップスイッチをドロップ状態に切り替えるように設定可能であることを特徴とする光波長挿入分岐装置。
【請求項３】
現用および予備波長多重回線に接続された請求項１記載の光波長挿入分岐装置が前記波長多重回線上の最上流に配置されている場合に、
前記光波長挿入分岐装置が前記現用波長多重回線に接続されている時に、通常動作時においては、前記アッドスイッチをアッド状態に設定し、一方、前記波長多重回線上の障害発生時においては、前記アッドスイッチを非アッド状態に切り替えるように設定可能であり、
また、前記光波長挿入分岐装置が予備回線に接続されている時に、通常動作時においては、前記アッドスイッチを非アッド状態に設定し、前記波長多重回線上の障害発生時においては、前記アッドスイッチをアッド状態に切り替えるように設定可能であることを特徴とする光波長挿入分岐装置。
【請求項４】
請求項２および請求項３記載の光波長挿入分岐装置をともに備えたことを特徴とする光波長挿入分岐装置。
【請求項５】
現用および予備波長多重回線に接続された請求項１記載の光波長挿入分岐装置が前記現用波長多重回線に接続されている場合に、
前記波長多重回線上の障害が前記光波長挿入分岐装置の直上流で発生した時は、前記アッドスイッチをアッド状態に切り替えるように設定可能であり、
一方、前記波長多重回線上の障害が前記光波長挿入分岐装置の直下流で発生した時は、前記ドロップスイッチをドロップ状態に切り替えるように設定可能であることを特徴とする光波長挿入分岐装置。
【請求項６】
現用および予備波長多重回線に接続された請求項５記載の光波長挿入分岐装置が前記予備の波長多重回線に接続されている場合に、
前記障害が現用波長多重回線の直上流で発生した時は、前記ドロップスイッチをドロップ状態に切り替えるように設定可能であり、
一方、前記障害が現用波長多重回線の直下流で発生した時は、前記アッドスイッチをアッド状態に切り替えるように設定可能であることを特徴とする光波長挿入分岐装置。
【請求項７】
請求項１記載の光波長挿入分岐装置において、
各波長の光信号の経路にスルー光を遮断するスイッチを配置したことを特徴とする光波長挿入分岐装置。
【請求項８】
現用および予備波長多重回線にそれぞれ接続された現用側および予備側の請求項１記載の光波長挿入分岐装置を備え、
外部より入力された光信号を前記波長多重回線にアッドする場合に、前記光信号を１：２光カプラを介して２分岐した後に、前記現用側光波長挿入分岐装置のアッド光入力ファイバ、および前記予備側光波長挿入分岐装置のアッド光入力ファイバにそれぞれ接続することを、
また、前記光信号を前記波長多重回線からドロップする場合に２：１光カプラを用いて、前記現用側光波長挿入分岐装置のドロップ光出力ファイバ、および前記予備側光波長挿入分岐装置のドロップ光出力ファイバを光カプラの２つの入力ファイバにおのおの接続し、両ドロップ光出力ファイバの出力光のいずれかが光カプラの出力ファイバより出力されるよう配置したことを特徴とする光ネットワーク装置。
【請求項９】
順方向および逆方向の現用波長多重回線と順方向および逆方向の予備波長多重回線にそれぞれ接続される、請求項５記載の現用側順方向、現用側逆方向、予備側順方向および予備側逆方向の４つの光波長挿入分岐装置を備え、
前記現用側順方向の光波長挿入分岐装置のドロップ光出力ファイバを前記予備側順方向の光波長挿入分岐装置のアッド光入力ファイバに接続し、
前記予備側順方向の光波長挿入分岐装置のドロップ光出力ファイバを前記現用側順方向の光波長挿入分岐装置のアッド光入力ファイバに接続し、
前記現用側逆方向の光波長挿入分岐装置のドロップ光出力ファイバを前記予備側逆方向の光波長挿入分岐装置のアッド光入力ファイバに接続し、
かつ前記予備側逆方向の光波長挿入分岐装置のドロップ光出力ファイバを前記現用側逆方向の光波長挿入分岐装置のアッド光入力ファイバに接続したことを特徴とする光ネットワーク装置。
【請求項１０】
順方向および逆方向の現用波長多重回線と順方向および逆方向の予備波長多重回線にそれぞれ接続される、請求項５記載の現用側順方向、現用側逆方向、予備側順方向および予備側逆方向の４つの光波長挿入分岐装置を備え、
前記現用側順方向の光波長挿入分岐装置のドロップ光出力ファイバを前記予備側逆方向の光波長挿入分岐装置のアッド光入力ファイバに接続し、
前記予備側順方向の光波長挿入分岐装置のドロップ光出力ファイバを前記現用側逆方向の光波長挿入分岐装置のアッド光入力ファイバに接続し、
前記現用側逆方向の光波長挿入分岐装置のドロップ光出力ファイバを前記予備側順方向の光波長挿入分岐装置のアッド光入力ファイバに接続し、
前記予備側逆方向の光波長挿入分岐装置のドロップ光出力ファイバを前記現用側順方向の光波長挿入分岐装置のアッド光入力ファイバに接続したことを特徴とする光ネットワーク装置。